(57)【要約】【課題】透光部材の質感を維持しながらも、照明のアンバランスを低減することが可能な指針式計器を提供する。【解決手段】指針４と、この指針４の指示対象となる透過意匠部５１を有する表示板５と、表示板５の前方側に位置する隆起部（表示部）６２を有する透光部材６と、表示板５の背面に対向配置される反射体８と、透過意匠部５１及び隆起部６２を照明する光源７とを備え、透過意匠部５１を含む表示板５領域と第１の反射壁部８４との間に空間部Ｓを設け、隆起部６２を含む透光部材６領域との第２の反射壁部８５との間に閉塞部９を設け、この閉塞部９を避けた表示部材６箇所に受光部６３を設けた。【選択図】図２
2007121049.tif 000002
【特許請求の範囲】
【請求項１】
指針と、
この指針の指示対象となる透過意匠部を有する表示板と、
前記表示板の前方側に位置する表示部を有する透光部材と、
前記表示板の背面に対向配置される反射体と、
この反射体と前記表示板との間に形成される光通路を介して前記透過意匠部及び前記表示部を照明する光源とを備え、
少なくとも前記透過意匠部を含む前記表示板領域と前記反射体との間に前記光通路に連通する空間部を設け、
少なくとも前記表示部を含む前記透光部材領域と前記反射体との間に前記透光部材と前記反射体の両者を直接接触させるか、あるいは前記両者を所定の介在物を介して接触させることにより前記光通路または前記空間部を塞ぐ閉塞部を設け、
この閉塞部を避けた前記表示部材箇所に前記光通路または前記空間部を通じて前記光源からの光を受光する受光部を設けたことを特徴とする指針式計器。
【請求項２】
前記光源の消灯時において、前記閉塞部に相当する前記反射体領域が前記表示部を通じて透視されることを特徴とする請求項１記載の指針式計器。
【請求項３】
前記受光部が前記光通路または前記空間部内に位置することを特徴とする請求項１記載の指針式計器。
【請求項４】
前記透光部材が前記表示板の背後に位置する第１の透光部と、前記表示板の前方に位置し前記表示部を構成する第２の透光部とを有し、前記第１の透光部に前記受光部を設けたことを特徴とする指針式計器。
【請求項５】
前記透光部材が前記表示板を支持する支持部材の一部に形成されることを特徴とする請求項１記載の指針式計器。
【発明の詳細な説明】
【技術分野】
【０００１】
本発明は、例えばオートバイや自動車をはじめとする各種車両に搭載される指針式計器に関するものである。
【背景技術】
【０００２】
各種車両に搭載される指針式計器として、計器本体の回転軸の先端に指針を装着し、この指針の背後に目盛、文字、マーク等からなる透過意匠部を有する表示板を配置し、透過意匠部上を回転する指針によって、計測値を表示するものが知られている。表示板には、透過意匠部と合わせてこの透過意匠部の背景を形成する地色部が形成されるが、これら透過意匠部と地色部は通常、基板への印刷によって形成されるため、見え方が平面的にならざるを得ない事情があり、このような事情に対処したものとして、例えば特許文献１に記載の指針式計器が知られている。
【０００３】
この指針式計器は、透過意匠部の一部を表示板とは別の透光部材（立体造形物）によって形成したもので、透過意匠部の一部を貫通孔とする一方、透光部材に貫通孔に対応した隆起部（表示部）を設け、表示板の背後から貫通孔に透光部材の隆起部を貫通させることにより透過意匠部を実際の立体物によって表現したものである。このような隆起部を含む透過意匠部は、表示板の背後に配置された光源と、表示板の背面に光通路を介して対向配置される反射体とを通じて透過照明される構成となっている。
【特許文献１】特開２００３−１０６８７３号公報
【発明の開示】
【発明が解決しようとする課題】
【０００４】
ところで上記特許文献１に記載の指針式計器の場合、透光部材の隆起部表面に着色透過層を被着しているため、光源の点灯時に、半透過性インクの印刷層でなる透過意匠部に対して、隆起部の輝度が高くなり過ぎる傾向は抑えられるが、透光部材の透明質感を確保すべく隆起部表面の着色透過層を廃止した場合、透過意匠部に対して隆起部の輝度が高くなり照明バランスが崩れやすいという問題があり、この点に対処するために透光部材の入光側に調光層を設けることが考えられるが、調光層の付加はコストアップにつながるという問題がある。
そこで本発明は、透光部材の質感を維持しながらも、照明のアンバランスを低減することが可能な指針式計器の提供を主な目的とするものである。
【課題を解決するための手段】
【０００５】
本発明は、前記目的を達成するため、指針と、この指針の指示対象となる透過意匠部を有する表示板と、前記表示板の前方側に位置する表示部を有する透光部材と、前記表示板の背面に対向配置される反射体と、この反射体と前記表示板との間に形成される光通路を介して前記透過意匠部及び前記表示部を照明する光源とを備え、少なくとも前記透過意匠部を含む前記表示板領域と前記反射体との間に前記光通路に連通する空間部を設け、少なくとも前記表示部を含む前記透光部材領域と前記反射体との間に前記透光部材と前記反射体の両者を直接接触させるか、あるいは前記両者を所定の介在物を介して接触させることにより前記光通路または前記空間部を塞ぐ閉塞部を設け、この閉塞部を避けた前記表示部材箇所に前記光通路または前記空間部を通じて前記光源からの光を受光する受光部を設けたことを特徴とする。
【０００６】
また本発明は、前記光源の消灯時において、前記閉塞部に相当する前記反射体領域が前記表示部を通じて透視されることを特徴とする
【０００７】
また本発明は、前記受光部が前記光通路または前記空間部内に位置することを特徴とする
【０００８】
また本発明は、前記透光部材が前記表示板の背後に位置する第１の透光部と、前記表示板の前方に位置し前記表示部を構成する第２の透光部とを有し、前記第１の透光部に前記受光部を設けたことを特徴とする。
【０００９】
また本発明は、前記透光部材が前記表示板を支持する支持部材の一部に形成されることを特徴とする。
【発明の効果】
【００１０】
本発明によれば、初期の目的を達成でき、透光部材の質感を維持しながらも、照明のアンバランスを低減することが可能な指針式計器を提供することができる。
【発明を実施するための最良の形態】
【００１１】
以下、添付図面に基づき、本発明による指針式表示装置の実施形態を説明する。図１から図４は本発明の第１の実施形態を示し、図１は指針式計器の正面図、図２は図１のＡ−Ａ線に沿った断面図、図３は図２中、透光部材周辺を拡大して示す腰部断面図、図４は表示板と透光部材の要部を示す分解斜視図である。
【００１２】
図１，図２において、本実施例による指針式計器は、回路基板１と、この回路基板１に導通装着され回転軸２が前方に延びる計器本体３と、回転軸２の先端側に装着される指針４と、この指針４と回路基板１との間に配置される表示板５と、この表示板５の背後に配置される透光部材６と、回転軸２の周囲に位置して回路基板１の前方側位置に配置される光源７と、表示板５と回路基板１との間に配置される反射体８とから構成されている。なお図２では、図１中、中央に位置する計器部分の構成のみが示されているが、図１中、他の計器部分も同様の構成を有しているため、図２記載の計器部分を代表構造として説明する。
【００１３】
回路基板１は、例えばガラスエポキシ系基材に配線パターン（図示せず）を施した硬質回路基板からなり、計器本体３の駆動・制御を行う駆動手段（図示せず）や例えば抵抗、コンデンサ等の各種回路部品（図示せず）が前記配線パターンに導通接続されている。
【００１４】
計器本体３は、可動磁石式計器またはステッピングモータからなり、この例では回転軸２が回路基板１に形成した軸孔を貫通するように、回路基板１の背後に装着され、且つ半田付け等の適宜導通手段により前記配線パターン（前記駆動手段）に電気接続されているが、回路基板１の前方側に計器本体３を配置してもよい。
【００１５】
指針４は、光透過性の合成樹脂からなり、図２に詳しく示すように、光透過性合成樹脂からなり後述する透過意匠部を指示する指示部材４１と、同じく光透過性合成樹脂からなり指示部材４１と回転軸２との間に配置される基部４２と、この基部４２及び指示部材４１の回転中心側所要部を覆う遮光性合成樹脂よりなるカバー部４３とで構成され、基部４２を通じて回転軸２の先端に連結されている。
【００１６】
指示部材４１は、その先端側が表示板５の後述する透過意匠部に向けて延びており、その表面には光源７からの光を透過する半透過性のメタリック色層４４が形成され、このメタリック層４４の反対側には、基部４２を通じて導入された光をメタリック色層４４側に反射する反射層４５が形成されている。
【００１７】
メタリック層４４は、例えばメタリック粒子を混入させた塗料を指示部材４１の表面に薄く塗布することにより形成され、光源７の非点灯時には外光反射により例えばシルバーメタリック調の金属色調を伴って視認され、光源７の点灯時にはその光がメタリック粒子の隙間から透過することにより所定色を伴って視認される膜厚に設定されている。
【００１８】
反射層４５は、例えば白色を有する皮膜をホットスタンピングによって指示部材４１の背面に被着して形成される、光反射率の良好なホットスタンプ層からなる。
【００１９】
基部４２は、回転軸２に圧入固定されるボス部と光源７からの光を指示部材４１に供給する光供給部とを有し、またカバー部４３は、例えば黒色またはシルバーメタリック調の色調を有している。
【００２０】
表示板５は、指針４の回転軌道に沿った円弧状の配列形状を有して配置され、指針４の指示対象となる透過意匠部５１と、透過意匠部５１の背景となる地色部５２とを有している。
【００２１】
透過意匠部５１は、本例の場合、文字または数字からなり、地色部５２は、透過意匠部５１の背景を形成するものである。
【００２２】
透過意匠部５１の外側には、表示板５自体を開口させた開口孔（開口部）５３が形成され、この開口孔５３に透光部材６の後述する隆起部が挿通する構成であり、開口孔５３は、前記隆起部の外径形状に対応している。
【００２３】
地色部５２は、透過意匠部５１の背景を形成するもので、開口孔５３及び透過意匠部５１領域を除いて形成されている。これら透過意匠部５１と地色部５２は、表示板５の基材（母材）となる透光性の基板５ａに第１，第２の印刷層Ｌ１，Ｌ２をスクリーン印刷することにより形成され、開口孔５３は、各印刷層Ｌ１，Ｌ２の印刷後に打ち抜き形成等の手段により形成されている。
【００２４】
すなわち、透明な合成樹脂からなる基板５ａの表面略全域に第１の印刷層Ｌ１を印刷形成する。この第１の印刷層Ｌ１は、例えば白色の半透過性の印刷塗料からなり、それ自体、光源７の非点灯時には外光反射により白色を伴って視認され、光源７の点灯時にはその光を透過し所定色を伴って発光する半透過性を有している。
【００２５】
この第１の印刷層Ｌ１の表側には、透過意匠部５１と開口孔５３を除いて第２の印刷層Ｌ２が印刷形成されている。この第２の印刷層Ｌ２は、例えば黒色で遮光性を有する印刷塗料からなり、第２の印刷層Ｌ２を形成せずに第１の印刷層Ｌ１が露出する領域によって透過意匠部５１が形成される。
【００２６】
従って、第１の印刷層Ｌ２の露出領域となる透過意匠部５１は、光源７の非点灯時には、白色に視認され、光源７の点灯時にはその光を透過し所定色にて視認される。
【００２７】
なお表示板５には、回転軸２に対応した位置に貫通孔５４が設けられ、この貫通孔５４を通じて回転軸２と指針４とが連結できるようになっている。
【００２８】
透光部材６は、透明もしくは半透明の合成樹脂（導光部材）からなり、指針４の回転軌道に沿った略帯状を有して表示板５の背後に装着されている。
【００２９】
この透光部材６は、図３，図４に示すように、表示板５の背面に沿って帯状に延びる基部（第１の透光部）６１と、この基部６１から表示板５を超えて突出することで、その突出端側が表示板５の前方側に位置する隆起部（表示部及び第２の透光部）６２とを有し、この隆起部６２は、透過意匠部５１と共に指針４の指示対象となるもので、表示板５の開口孔５３の内径形状に対応した外径形状を有して複数形成され、開口孔５３に挿入されている。
【００３０】
このように形成された透光部材６は、その基部６１の底面が反射体８の後述する第２の反射壁部（閉塞部）上に載置されて支持され、その前方から開口孔５３が隆起部６２に嵌入されるように表示板５が透光部材６上に重ねられる（図４参照）。これにより隆起部６２が開口孔５３を通じて表示板５の表面側に突出し、透過意匠部５１と共に指針４の指示対象となる突出目盛を形成する。また基部６１のうち、前記第２の反射壁部と接触しない外壁面は、後述する空間部内に臨み、光源７からの光を透光部材６に取り入れる受光部６３を形成する。
【００３１】
光源７は、回路基板１の前方側に配置された例えばチップ型発光ダイオードからなり、指針４と表示板５との各々に対応して複数個配置されている。
【００３２】
これら光源７は、回転軸２付近に位置する回路基板１の前面側領域に集中配置され、指針４を照らす光源（指針用光源）７が回路基板１の軸孔に近接し、その外側に表示板５を照らす光源（表示板用光源）７が配置されている。なお指針用光源７は、指針４の基部４２の回転動作に応じて複数個配置され、表示板用光源７は、反射体８の後述する第１の反射壁に対向するよう回転軸２を中心とした同心円上に複数個に配置されている。
【００３３】
反射体８は、白色系の合成樹脂にてケース形状に形成された射出成形体からなり、図２に示すように、表示板５の貫通孔５４に対応する内径を有して回転軸２及び指針用光源７の周囲を取り巻く筒状部８１と、この筒状部８１の外壁部から表示板用光源７と対向するように斜め前方に延びる第１の反射壁８２と、空気層を隔てて表示板５の背面に対向する第２の反射壁８３とを有している。
【００３４】
筒状部８１は、指針用光源７からの光を指針４側に導く導光筒として機能し、また第１の反射壁８２は、表示板用光源７からの光を回転軸２を中心とした外周方向に向けて放射状に反射する反射板として機能する。さらに第２の反射壁８３は、表示板用光源７からの光を透過意匠部５１及び隆起部６２側に通過させる前記空気層となる光通路ＬＰを隔てて表示板５に対向しており、透過意匠部５１を含む表示板５領域に対応する第１の反射壁部８４は、光通路ＬＰに連通する空間部Ｓを隔てて透過意匠部５１を含む表示板５領域に対向しており、一方、隆起部６３を含む透光部材６領域に対応する第２の反射壁部８５は、透光部材６の基部６１の底面と直接接触し、光通路ＬＰまたは空間部Ｓを塞ぐ閉塞部９を形成している。
【００３５】
以上の構成において、指針用光源７の非点灯時には、指針４の指示部材４１、表示板５の文字部５４、第１の地色部５５、表示部材６の隆起部６２表面が外光反射を通じてシルバーメタリック調の金属色調を伴って視認される。
【００３６】
指針用光源７の点灯時には、その光が反射体８の筒状部８１、指針４の基部４２及び指示部材４１を通じてメタリック層４４を透過し、指示部材４１が例えば指針用光源７自体の発光色である赤色に発光する。
【００３７】
表示板用光源７の非点灯時には、外部光が反射率が高い第１の印刷層Ｌ１からなる透過意匠部５１の表面で反射することによる表面反射によって白色に視認されるが、光吸収率の高い第２の印刷層Ｌ２からなる地色部５１は、黒色に視認される。また外部光の一部は、隆起部６２を透過して透光部材６内に入射し、第２の反射壁部８５の表面によって反射されることにより、透過意匠部５１と同じ白色を伴って視認される。
【００３８】
表示板用光源７の点灯時には、その光が反射体８の第１，第２の反射壁８２，８３を通じて光通路ＬＰ及び空間部Ｓを伝播し、透過意匠部５１（第１の印刷層Ｌ１）を例えば表示板用光源７自体の発光色である白色に透過照明するが、地色部５１は第２の印刷層Ｌ２によって光の透過が遮断されるため、透過光によっては発光しない。また光通路ＬＰ及び空間部Ｓを伝播する光の一部は、受光部６３を通じて透光部材６内に入射し、第２の反射壁部８５等して隆起部６２の先端側に至るため、隆起部６２が白色に視認される。
【００３９】
以上のように本実施形態によれば、指針４と、この指針４の指示対象となる透過意匠部５１を有する表示板５と、表示板５の前方側に位置する隆起部（表示部）６２を有する透光部材６と、表示板５の背面に対向配置される反射体８と、この反射体８と表示板５との間に形成される光通路ＬＰを介して透過意匠部５１及び隆起部６２を照明する光源７とを備え、少なくとも透過意匠部５１を含む表示板５領域と反射体８の第１の反射壁部８４との間に光通路ＬＰに連通する空間部Ｓを設け、少なくとも隆起部６２を含む透光部材６領域と反射体８の第２の反射壁部８５との間に透光部材６と第２の反射壁部８５とを直接接触させることにより光通路ＬＰまたは空間部Ｓを塞ぐ閉塞部９を設け、この閉塞部９を避けた表示部材６箇所に光通路ＬＰまたは空間部Ｓを通じて光源７からの光を受光する受光部６３を設けたことにより、透光部材６の質感を維持しながら、しかも特別なコストアップなしに、照明のアンバランスを低減することができる。
【００４０】
すなわち、透過意匠部５１を含む表示板５領域と反射体８の第１の反射壁部８４との間には、光通路ＬＰに連通する空間部Ｓを設けて透過意匠部５１をこれまで通り照明し、隆起部６２を含む透光部材６領域と反射体８の第２の反射壁部８５との間には、光通路ＬＰもしくは空間部Ｓを塞ぐ閉塞部９を設けると共に閉塞部９を避けた表示部材６箇所に光通路ＬＰまたは空間部Ｓを通じて光源７からの光を受光する受光部６３を設けたことにより輝度が高くなりやすい透光部材６に至る光を制限でき、これにより透光部材６の質感を維持し、しかも特別な透光部材６に調光層を設ける等によるコストアップなしに、照明のアンバランスを低減することができる。
【００４１】
また本実施形態では、閉塞部９に相当する反射体８の第２の反射壁部８５領域が隆起部６２を通じて透視されることにより、第２の反射壁部８５自体を隆起部６２の背景（色）として活用することができるので、専用の被膜（層）や部材を追加する必要がなくコスト低減を達成することができる。しかも閉塞部９により第２の反射壁部８５と透光部材６とが隙間なく接触することで、外光が第２の反射壁部８５表面に届きやすくなるので、光源の消灯時に隆起部６２が暗く見えてしまうことを防止できる。
【００４２】
また本実施形態では、受光部６３が光通路ＬＰまたは空間部Ｓ内に位置することにより、光通路ＬＰまたは空間部Ｓ内の光を効率良く取り込むことができる。
【００４３】
また本実施形態では、透光部材６が表示板５の背後に位置する基部（第１の透光部）６１と、この基部６１から前方に延びることにより表示板５の前方側に位置する第２の透光部となる隆起部６２とを有し、基部６１に受光部６３を設けたことによっても光通路ＬＰまたは空間部Ｓ内の光を効率良く取り込むことができる。
【００４４】
なお本実施形態では、光通路ＬＰまたは空間部Ｓを空気層としたが、光を通過または伝播または導光する箇所として機能するのであれば、光通路ＬＰまたは空間部Ｓ自体を透明材料によって形成してもよい。この場合、閉塞部９は、光通路ＬＰまたは空間部Ｓ自体を形成する透明材料が存在せず、透光部材６と第２の反射壁部８５とが接触した箇所となる。
【００４５】
また本実施形態では、透光部材６を指針４の指示対象となる目盛部として活用する例を示したが、表示板５の前方側に位置する表示部が位置するものであれば、任意であり、例えば、指針４の作動範囲を取り巻く装飾部材であってもよい。
【００４６】
また本実施例では、隆起部６２の外径形状を開口孔５３の内径形状に対応させており、これにより、開口部Ｈと隆起部６２との隙間を小さくでき、表示品質を向上させることができる。
【００４７】
図５は本発明の第２の実施形態を示し、本実施形態では、透光部材６が略リング体からなり、突出部（表示部）６４からなる目盛部を有すると共に、突出部（表示部）６４の周囲を遮光性カバー６５で覆ったもので、その全体が表示板５を構成する基材５の表面上に載置されている。
【００４８】
そして、透光部材６の底部と反射体８の第２の表示部材６とを所定の介在物として表示板５の基材（光透過性部材）５ａを挟んで接触させることにより、閉塞部９を形成している。
【００４９】
この場合、受光部６３は、閉塞部９を避けた箇所であって、表示板５の基材５ａの表側に形成されており、基材５ａを通じて受光部６３に入射する光によって、透光部材６が発光する構成である。
【００５０】
このように構成された本実施形態によっても前記第１の実施形態と同様の効果を期待できる。
【００５１】
図６は、本発明の第３の実施形態を示し、本例の透光部材６は、基本的には、前記第２の実施形態の透光部材６と同じ構成だが、受光部６３の位置が異なっている。
【００５２】
すなわち、本例の透光部材６は、透光部材６が表示板５の背後に位置する受光突部（第１の透光部）６６と、この受光突部６７から連続形成されて表示板５上に配置される本体部（第２の透光部）６７とを有し、この本体部６８に突出部（表示部）６４が部分形成されている。
【００５３】
このように構成された本実施形態によっても前記第１，第２の実施形態と同様の効果を期待でき、特に本例の場合、前記第２の実施形態と比較すると、表示板５の背後に位置する受光突部６６に受光部６３を設けたことによって光通路ＬＰまたは空間部Ｓ内の光を効
【００５４】
なお、前記第１，第２の実施形態では、所定の介在物として、表示板５の基材５ａを例示したが、他の部材、例えば拡散部材や調光部材であってもよい。
【００５５】
図７は、本発明の第４の実施形態を示すもので、本例では、透光部材６が表示板５を背後から支持する支持部材１０の一部に形成される例を示している。
【００５６】
すなわち、支持部材１０は、透光性合成樹脂材料によって形成されており、反射体８上に載置されており、この支持部材１０には、前記第１の実施形態と同様な透光部材（透光部）６が形成されている。
【００５７】
このように構成された本実施形態によっても前記第１〜第３の実施形態と同様の効果を期待でき、特に本例の場合、透光部材６を支持部材１０の一部としたことにより、部品数の削減やコストダウンを達成することができる。なおこの場合、受光部６３は、光通路ＬＰまたは空間部Ｓに対応する支持部材１０の全領域が相当する。
【図面の簡単な説明】
【００５８】
【図１】本発明の第１の実施形態による指針式計器を示す正面図。
【図２】図１のＡ−Ａ断面図。
【図３】図２中、透光部材付近を拡大して示す要部断面図。
【図４】同実施形態において表示板と透光部材の要部を示す分解斜視図。
【図５】本発明の第２の実施形態を示す要部断面図。
【図６】本発明の第３の実施形態を示す要部断面図。
【図７】本発明の第４の実施形態を示す要部断面図。
【符号の説明】
【００５９】
１  回路基板
２  回転軸
３  計器本体
４  指針
５  表示板
５ａ  基板
６  透光部材
７  光源
８  反射体
９  閉塞部
１０  支持部材
４１  指示部材
４２  基部
４３  カバー部
４４  メタリック色層
４５  反射層
５１  透過意匠部
５２  地色部
５３  開口孔（開口部）
５４  貫通孔
６１  基部（第１の透光部）
６２  隆起部（表示部及び第２の透光部）
６３  受光部
６４  突出部（表示部）
６５  遮光性カバー
６６  受光突部（第１の透光部）
６７  本体部（第２の透光部）
８１  筒状部
８２  第１の反射壁
８３  第２の反射壁
８４  第１の反射壁部
８５  第２の反射壁部
Ｌ１  第１の印刷層
Ｌ２  第２の印刷層
ＬＰ  光通路
【図１】
2007121049.tif 000003
【図２】
2007121049.tif 000004
【図３】
2007121049.tif 000005
【図４】
2007121049.tif 000006
【図５】
2007121049.tif 000007
【図６】
2007121049.tif 000008
【図７】
2007121049.tif 000009